【手続補正書】
【提出日】平成18年2月2日(2006.2.2)
【手続補正１】
【補正対象書類名】明細書
【補正対象項目名】特許請求の範囲
【補正方法】変更
【補正の内容】
【特許請求の範囲】
【請求項１】
所定の電圧が印加される対向電極と、該対向電極との間で容量を形成するために設けられた画素電極と、該画素電極に直列に接続された画素スイッチとを有する画素を複数個構成している表示部と、
表示すべき画像データに基づいて第一のアナログ画像信号電圧を出力する画像信号電圧発生手段と、
該第一のアナログ画像信号電圧を入力として、前記画像信号電圧発生手段より低い出力インピーダンスで、第二のアナログ画像信号電圧を出力するために設けられた半導体素子を用いた出力インピーダンス変換手段群と、
該出力インピーダンス変換手段群の中に設けられ、該各出力インピーダンス変換手段群における半導体素子特性のばらつきに起因する第二のアナログ画像信号電圧の出力オフセットばらつきをキャンセルするために設けられ、一端が該出力インピーダンス変換手段の電圧入力端子に接続されたオフセットキャンセル容量と、一端が該出力インピーダンス変換手段の電圧入力端子に接続された第一の半導体スイッチを有するオフセットキャンセル回路群と、
前記出力インピーダンス変換手段群の出力端子と、前記画素スイッチとを接続する信号線群と、
前記出力インピーダンス変換手段群の出力である第二のアナログ画像信号電圧を、前記信号線群と、前記画素スイッチ群を介して、所定の表示画素の液晶容量に書込むための信号電圧書込み手段と、
前記第一の半導体スイッチがオフする際に生成するスイッチフィードスルー電荷のばらつきに起因する、第二のアナログ画像信号電圧の出力ばらつきを低減する手段とを有し、
前記出力インピーダンス変換手段は差動増幅回路に負帰還をかけたボルテージフォロア回路を含む画像表示装置において、
前記オフセットキャンセル回路は、該差動増幅回路の第一の入力端子にその一端が接続された上記オフセットキャンセル容量と、該オフセットキャンセル容量の他端と該差動増幅回路の第二の入力端子を接続する第二の半導体スイッチと、該オフセットキャンセル容量の他端と第一のノードを接続する第三の半導体スイッチと、該差動増幅回路の第一の入力端子と第一のノードを接続する上記第一の半導体スイッチと、該差動増幅回路の第二の入力端子と該差動増幅回路の出力を接続する第四の半導体スイッチと、該第一のノードと該差動増幅回路の出力を接続する第五の半導体スイッチと、該オフセットキャンセル回路への入力を該差動増幅回路の第二の入力端子と該第一のノードのいずれかに選択的に接続させる第六の半導体スイッチと、該差動増幅回路の第一の入力端子を負入力にかつ第二の入力端子を正入力に設定することと該差動増幅回路の第一の入力端子を正入力にかつ第二の入力端子を負入力に設定することとを選択的に可能とする差動増幅回路正負反転手段を有する画像表示装置。
【請求項２】
前記差動増幅回路は、電流源と、差動ドライバＦＥＴ対と、ゲートが共通に一方の該差動ドライバＦＥＴのドレインに接続された負荷ＦＥＴ対を有し、
前記差動増幅回路正負反転手段は、該負荷ＦＥＴ対のゲートを該差動ドライバＦＥＴ対のいずれかに選択的に接続する第七の半導体スイッチ対と、該第七の半導体スイッチ対の選択とは逆の差動ドライバＦＥＴから該差動増幅回路の出力を取る第八の半導体スイッチ対とを含む請求項１の画像表示装置。
【請求項３】
前記出力インピーダンス変換手段と上記信号線の間には、両者を接続及び遮断するための第九の半導体スイッチを有する請求項１の画像表示装置。
【請求項４】
所定の電圧が印加される対向電極と、該対向電極との間で容量を形成するために設けられた画素電極と、該画素電極に直列に接続された画素スイッチとを有する画素を複数個構成している表示部と、
表示すべき画像データに基づいて第一のアナログ画像信号電圧を出力する画像信号電圧発生手段と、
該第一のアナログ画像信号電圧を入力として、該画像信号電圧発生手段より低い出力インピーダンスで、第二のアナログ画像信号電圧を出力するために設けられた、差動増幅回路に負帰還をかけたボルテージフォロア回路を含む出力インピーダンス変換手段群と、
該出力インピーダンス変換手段の中に設けられた、該各出力インピーダンス変換手段群における差動増幅回路を構成する半導体素子特性のばらつきに起因する第二のアナログ画像信号電圧の出力オフセットばらつきをキャンセルするために設けられた、該差動増幅回路の第一の入力端子にその一端が接続されたオフセットキャンセル容量と、該オフセットキャンセル容量の他端と該差動増幅回路の第二の入力端子を接続する第二の半導体スイッチと、該オフセットキャンセル容量の他端と第一のノードを接続する第三の半導体スイッチと、該差動増幅回路の第一の入力端子と第一のノードを接続する第一の半導体スイッチと、該差動増幅回路の第二の入力端子と該差動増幅回路の出力を接続する第四の半導体スイッチと
、該第一のノードと該差動増幅回路の出力を接続する第五の半導体スイッチと、該オフセットキャンセル回路の入力を該差動増幅回路の第二の入力端子と該第一のノードのいずれかに選択的に接続させる第六の半導体スイッチと、該差動増幅回路の第一の入力端子を負入力にかつ第二の入力端子を正入力に設定することと該差動増幅回路の第一の入力端子を正入力にかつ第二の入力端子を負入力に設定することとを選択的に可能とする差動増幅回路正負反転手段を有するオフセットキャンセル回路群と、
該出力インピーダンス変換手段群の出力端子と該画素スイッチ群とを接続する信号線群と、
該出力インピーダンス変換手段群の出力である第二のアナログ画像信号電圧を
、該信号線群と該画素スイッチ群を介して、所定の表示画素の液晶容量に書込むための信号電圧書込み手段とを有する画像表示装置において、
該第四の半導体スイッチをオフ，該第五の半導体スイッチをオン、該第六の半導体スイッチを該差動増幅回路の第二の入力端子に接続した状態で、該第一，第二，第三の半導体スイッチを所定の順序で開閉してオフセットキャンセルを行う第一のオフセットキャンセル動作と、該第四の半導体スイッチをオン，該第五の半導体スイッチをオフ、該第六の半導体スイッチを該第一のノードに接続した状態で、該第一，第二，第三の半導体スイッチを所定の順序で開閉してオフセットキャンセルを行う第二のオフセットキャンセル動作とを選択的に行うことを特徴とする画像表示装置の駆動方法。
【請求項５】
前記オフセットキャンセル動作において、第一の半導体スイッチがオフした後に第二の半導体スイッチがオフする請求項４の画像表示装置の駆動方法。
【請求項６】
前記第一のオフセットキャンセル動作と第二のオフセットキャンセル動作とを
、それぞれ表示フレーム毎に交互に行う請求項４の画像表示装置の駆動方法。
【請求項７】
前記第一のオフセットキャンセル動作と第二のオフセットキャンセル動作とを
、単一の表示フィールド内に一回ずつ行う請求項４の画像表示装置の駆動方法。
【請求項８】
表示フィールド内の前後半２回のオフセットキャンセル動作の時間は、前半のオフセットキャンセル動作の方が後半のオフセットキャンセル動作よりも長い請求項７の画像表示装置の駆動方法。
【請求項９】
前記第一のオフセットキャンセル動作と第二のオフセットキャンセル動作とを
、単一の表示フィールド内にｎ回ずつ行う請求項４の画像表示装置の駆動方法。
【請求項１０】
所定の電圧が印加される対向電極と、該対向電極との間で容量を形成するために設けられた画素電極と、該画素電極に直列に接続された画素スイッチとを有する画素を複数個構成している表示部と、
表示すべき画像データに基づいて第一のアナログ画像信号電圧を出力する画像信号電圧発生手段と、
該第一のアナログ画像信号電圧を入力として、該画像信号電圧発生手段より低い出力インピーダンスで、第二のアナログ画像信号電圧を出力するために設けられた、差動増幅回路に負帰還をかけたボルテージフォロア回路を含む出力インピーダンス変換手段群と、
該出力インピーダンス変換手段の中には、該各出力インピーダンス変換手段群における差動増幅回路を構成する半導体素子特性のばらつきに起因する第二のアナログ画像信号電圧の出力オフセットばらつきをキャンセルするために設けられた、該差動増幅回路の負入力端子にその一端が接続された上記オフセットキャンセル容量と、該オフセットキャンセル容量の他端と該差動増幅回路の正入力端子を接続する第二の半導体スイッチと、該オフセットキャンセル容量の他端と該差動増幅回路の出力端とを接続する第三の半導体スイッチと、該差動増幅回路の負入力端子と該差動増幅回路の出力端を接続する上記第一の半導体スイッチとを有し、更に該オフセットキャンセル回路の入力が該差動増幅回路の正入力端子に接続され、該第一の半導体スイッチが複数の半導体スイッチの並列接続で構成されているオフセットキャンセル回路群と、
該出力インピーダンス変換手段群の出力端子と該画素スイッチ群とを接続する信号線群と、
該出力インピーダンス変換手段群の出力である第二のアナログ画像信号電圧を
、該信号線群と該画素スイッチ群を介して、所定の表示画素の液晶容量に書込むための信号電圧書込み手段とを有する画像表示装置において、
該第一，第二，第三の半導体スイッチを所定の順序で開閉してオフセットキャンセル動作を行う際に、該第一の半導体スイッチを構成する複数の半導体スイッチを時系列的に順次オフすることを特徴とする画像表示装置の駆動方法。
【請求項１１】
前記オフセットキャンセル動作において、該第一の半導体スイッチが全てオフした後に第二の半導体スイッチが順次オフする請求項１０の画像表示装置の駆動方法。
【請求項１２】
少なくとも一方が透明である一対の基板と、該一対の基板間に配置した液晶層とを有し、
前記一対の基板の少なくともいづれか一方の基板に、複数の走査線と、該複数の走査線に交差するように配置した複数の信号線とを有して表示部を構成し、
前記走査線に接続された走査信号駆動回路と、
前記信号線に接続され、表示すべき画像データに基づいて第１のアナログ画像信号電圧を生成する画像信号駆動回路を有する液晶表示装置であって、
前記画像信号駆動回路は、前記第１のアナログ画像信号電圧を前記表示部に送信する際に、該第１のアナログ画像信号電圧を、該第１のアナログ画像信号電圧より低いインピーダンスの第２のアナログ画像信号電圧に変換する出力インピーダンス変換手段を有し、
該出力インピーダンス変換手段は、内部にスイッチング素子として複数の半導体素子と、第１のタイミング及び第２のタイミングと、第３のタイミング及び第４のタイミングで、２つの入力端の正負が入れ替わり、自身の出力端が前記出力インピーダンス変換手段の出力端に接続された差動増幅回路を有しており、
第１のタイミングでは、入力端子から一端が前記差動増幅回路の正の入力端に
、また入力端子から分岐した一端がオフセットキャンセル容量を介して前記差動増幅回路の負の入力端に接続され、またさらにオフセットキャンセル容量と前記差動増幅回路の途中から分岐した一端が出力端子に接続された回路接続となり、
第２のタイミングでは、入力端子は前記差動増幅回路の正の入力端に接続され
、さらに出力端子がオフセットキャンセル容量を介して前記差動増幅回路の負の入力端に接続される回路接続となり、
第３のタイミングでは、入力端子は一端が前記差動増幅回路の正の入力端に、さらに入力端子から分岐した一端がオフセットキャンセル容量を介して前記差動増幅回路の負の入力端と、出力端子に接続される回路接続となり、
第４のタイミングでは、入力端子はオフセットキャンセル容量を介して前記差動増幅回路の正の入力端に接続され、さらに出力端子が前記差動増幅回路の負の入力端子に接続される回路接続となる出力インピーダンス変換手段を有する液晶表示装置。
【請求項１３】
前記差動増幅回路は、第１のタイミングと第２のタイミングでは正の入力端となった端子が、第３のタイミングと第４のタイミングでは負の入力端の端子となる請求項１２の液晶表示装置。